(57)【特許請求の範囲】
【請求項１】
商品種識別用のバーコードの読み取りを行うバーコード読み取り手段を備えたレジスタにおいて、商品種識別用のバーコードが表示されてなる商品のバーコード近傍に表示された特定商品であることを示す注意マークを検出するセンサ手段と、前記センサ手段による注意マークの検出に応答してマーク検出信号を出力する検出信号出力手段と、前記マーク検出信号を受けて特定商品の到来を報知する報知手段を備え、かつ、前記センサ手段を前記バーコード読み取り手段の近傍に配備したことを特徴とするレジスタ。
【発明の詳細な説明】
【０００１】
【発明の属する技術分野】
この発明は、商品種識別用のバーコードを利用して会計処理（勘定処理）などを行うところで用いられる特定商品検出装置が組み合わされたレジスタ（金銭登録機）に係り、特に、商品が会計処理などに特別の注意を要する商品であることが確実に分かるようにするための技術に関する。
【０００２】
【従来の技術】
近年、スーパーマーケットやデパートなど様々な商品売場では、商品種識別用のバーコードを利用して会計処理がより簡単かつ迅速に行われるようにしている。図３に示すように、商品種識別用のバーコードＢＣは、平行に引かれた多数の縦棒線の配置形態により商品の種類などを示すものである。勘定場では商品種識別用のバーコードを読み取るバーコードリーダを備えた（キャッシュ）レジスタが置かれていて、客が購入する商品のバーコードをバーコードリーダが次々と読み取る。一方、レジスタは各バーコードと対応して値段を記憶した価格テーブルを備えており、バーコードリーダが読み取ったバーコードに対応した値段が価格テーブルから引き出されて会計処理が進められてゆく。
【０００３】
ただ、売り場では、一部の商品の値段が一時的に変更される場合がある。値段の変更は、一群（ひとつのロット）の商品全てに対して行われる他に、一群の商品の中でも特定のものだけに行われる場合がある。つまり、同じ商品でも傷物や鮮度落ちなど見切り品については、見かけは同じでも他のものより少し値段を下げて売られることがある。そして、前者の一群の商品全てに対して値段の変更が行われる場合、対応する価格テーブルの値段を変更して正しく会計処理が行われるようにする。後者の一群の商品の中でも特定のものだけに値段の変更が行われる場合、値段が変更された特定商品であることを示す注意マークが表示される（例えば、値引きタブを貼る）。勘定場では注意マークを見て値段の変更に応じた値引き処置等をして正しい会計処理を行うようにする。
【０００４】
【発明が解決しようとする課題】
しかしながら、ひとつの商品の中の特定のものだけに値段の変更が行われた場合について言えば、繁忙なスーパーの勘定場では、特定商品であることを示す注意マークがしばしば見過ごされ、会計処理が正しく行われないという問題がある。会計処理に間違いが出るようでは、信用・評判が下落してしまう。
【０００５】
この発明は、上記問題点に鑑み、特定商品であることを示す注意マークが付いている商品であるということが、確実に分かるレジスタを提供することを課題とする。
【０００７】
【課題を解決するための手段】
この発明は、上記課題を達成するために、次の構成をとるものである。すなわち、請求項１に記載の発明に係るレジスタは、商品種識別用のバーコードの読み取りを行うバーコード読み取り手段を備えたレジスタにおいて、商品種識別用のバーコードが表示されてなる商品のバーコード近傍に表示された特定商品であることを示す注意マークを検出するセンサ手段と、前記センサ手段による注意マークの検出に応答してマーク検出信号を出力する検出信号出力手段と、前記マーク検出信号を受けて特定商品の到来を報知する報知手段を備え、かつ、前記センサ手段を前記バーコード読み取り手段の近傍に配備したものである。
【０００９】
【作用】
この発明のレジスタでは、商品種識別用のバーコードの読み取り手段によりバーコードが読み取られる一方、バーコード読み取り手段の近傍にある特定商品検出装置のセンサ手段により、バーコード近傍に表示された特定商品であることを示す注意マークが検出される。そして、注意マークの検出に伴い特定商品の到来が特定商品検出装置の報知手段により直ちに報知され、会計処理等を行う係員の注意を促す。
【００１０】
【発明の実施の形態】
続いて、図面を参照しながら、この発明の一実施例を説明する。図１は実施例に係るレジスタの全体構成を示す概略ブロック図である。このレジスタは本発明の特定商品検出装置の実施例が組み合わされて構成されている。
【００１１】
実施例のレジスタは、図１に示すように、商品に表示された商品種識別用のバーコードを読み取るＣＣＤ等の撮像素子利用のバーコードリーダ（バーコード読み取り手段）１と、各バーコードと対応して値段を記憶した価格テーブル２を備えているとともに、バーコードリーダ１が読み取った各バーコードに対応した値段を価格テーブル２から引き出して会計処理などを行う演算・制御部３を備えている。バーコードリーダ１は、ハンディ式のものや非ハンディ式（テーブル表面の透明窓の裏側に読み取り機構が配置された形のもの）などが用いられる。なお、価格テーブル２はＲＡＭ（ランダムアクセスメモリ）などの記憶素子で構成され、演算・制御部３はマイクロプロセッサや制御プログラムなどを中心に構成されている。
【００１２】
また、レジスタは、一人の顧客の会計処理終了の指示を演算・制御部３に知らしめるための操作キー４や、会計処理の内容を印刷出力するプリンタ５も備えている。その他、通常、現金収納用のキャッシャー１２も備えている。
【００１３】
そして、この発明の特徴として、レジスタにおいては、特定商品検出装置６が、センサ部７をバーコードリーダ１の近傍に位置させるようにして組み合わされた構成を具備する。
この特定商品検出装置６は、商品種識別用のバーコードが表示されてなる商品のバーコード近傍に表示された特定商品であることを示す注意マークを検出するセンサ部７と、センサ部７による注意マークの検出に応答してマーク検出信号を出力する検出信号出力部８を具備している。
【００１４】
具体的には、センサ部７として、磁気式センサ、光学式センサなどが挙げられる。センサ部７が磁気式センサの場合は、図２（ａ）に示すように、商品Ｇの隅に表示されたバーコードＢＣの傍の磁気タブ（シール）や磁気インクによる磁性マークＭＡが注意マークとして用いられる。センサ部７が光学式センサの場合は、図２（ｂ）に示すように、商品Ｇの隅に表示されたバーコードＢＣの傍の特定形状の図案マークＭＢが注意マークとして用いられることになる。また、検出信号出力部８としては、例えば、センサ部７の出力レベルが一定の値を越すとマーク検出信号としてのパルス信号を出力するような形態が挙げられる。
【００１５】
この検出信号出力部８よりのマーク検出信号は、演算・制御部３および特定商品検出装置６の警報駆動部９へ送信される。警報駆動部９はマーク検出信号を受けて警報ブザー１０を鳴動させるとともに、警報灯１１を点灯させて、特定商品であることを報知する。つまり、警報駆動部９と警報ブザー１０や警報灯１１で報知手段が構成されているのである。一方、演算・制御部３の方はマーク検出信号を受けて、特定商品についての必要な処理を会計処理に盛り込むために、会計処理を一時的にストップさせる等の働きを行う他、終業後、特定商品（見切り品）の数などの統計を出力したりする。
【００１６】
続いて、実施例のレジスタによる会計処理動作を説明する。今、客は商品Ａ，Ｂ，Ｃを購入し、商品Ｂについては、一群の商品Ｂの中での特定商品（値引きされた見切り品）であり、商品Ｂのバーコードの傍に注意マークがあるものとする。以下、図４に示すフローチャートを参照して述べる。
【００１７】
〔ステップＳ１〕  レジ係員が商品のバーコードをバーコードリーダ１に読み取らせる。このときバーコードリーダ１の近傍に設けられたセンサ部７によって、バーコードの傍らにある注意マークの読み取りも同時に行われる。
【００１８】
〔ステップＳ２〕  注意マークが検出されない場合（商品Ａ，Ｃの場合）は、ステップＳ３へ進む。一方、注意マークが検出された場合（商品Ｂの場合）はステップＳ６へ進む。
【００１９】
〔ステップＳ３〕  演算・制御部３は、検出信号出力部８から検出信号を入力しない場合、その商品が通常の商品であるとして、読み取ったバーコードから商品コードを判読して、その商品に対応する値段を価格テーブル２から読み出す。
【００２０】
〔ステップＳ４〕  その商品名および値段をプリンタ５で印刷出力する。
【００２１】
〔ステップＳ５〕  演算・制御部３は操作キー４から集計指示があるか否かを監視し、指示がない場合はステップＳ１に戻って、次の商品のバーコードの読み取りに備える。
【００２２】
〔ステップＳ６〕  ステップＳ２において、センサ部７が注意マークを検出すると、検出信号出力部８が警報駆動部９に検出信号を出力することにより、警報ブザー１０が警報を発するとともに、警報灯１１が点灯する。
【００２３】
〔ステップＳ７〕  演算・制御部３は、検出信号出力部８から検出信号を入力すると、価格テーブル２の読み出しを行うことなく、操作キー４からの値段のキー入力を待つ。値段のキー入力があると、ステップＳ４に移行して、バーコードから判定したその商品の商品名と、キー入力された値段とを印字出力する。
【００２４】
〔ステップＳ８〕  レジ係員が操作キー４から集計指示を入力すると、演算・制御部３は、それまでに処理された各商品の値段を集計して、プリンタ５から印字出力して、一連の会計処理を終了する。
【００２５】
この発明は、上記実施例に限られるものではなく、例えば、以下のように変形実施することが可能である。
（１）実施例のレジスタの特定商品検出装置６は、警報ブザー１０と警報灯１１の両方を具備していたが、いずれか一方だけのものも、他の実施の形態として挙げることができる。
【００２６】
（２）実施例では、特定商品として必要な処理が値引き処理であったが、特定商品として必要な処理が、例えば、いわゆるオマケ商品を付けることであるような場合もある。
【００２８】
【発明の効果】
この発明のレジスタによれば、バーコードの読み取りと同時に、注意マークの有無が検出され、注意マークが検出されると報知手段で報知されるので、特定商品であることを見過ごすことなく、特定商品についての必要な処理が確実に会計処理などに反映される。
【図面の簡単な説明】
【図１】実施例に係るレジスタの全体構成を示す概略ブロック図である。
【図２】バーコードおよび注意マークが表示された商品例を示す概略平面図である。
【図３】バーコード例を示す平面図である。
【図４】実施例のレジスタによる会計処理の流れを示すフローチャートである。
【符号の説明】
１…バーコード読み取り手段としてのバーコードリーダ
６…特定商品検出装置
７…センサ手段としてのセンサ部
８…検出信号出力手段としての検出信号出力部
９…報知手段の一部としての警報駆動部
１０…報知手段の一部としての警報ブザー
１１…報知手段の一部としての警報灯
Ｇ…商品
ＢＣ…バーコード
ＭＡ…磁性マーク（注意マーク）
ＭＢ…図案マーク（注意マーク）
【図１】
0003777658.tif 000002
【図２】
0003777658.tif 000003
【図３】
0003777658.tif 000004
【図４】
0003777658.tif 000005